(57)【要約】【課題】録画予約する場合、録画可能な光ディスクを選択するための操作の手間、および録画モードを設定するための操作の手間を省いて録画予約を行えるようにし、また、当該光ディスクの録画残量が少なくなるとディスク交換を自動的に行って、所望のテレビ番組を全部録画可能になるようにする。【解決手段】ロータリートレイが閉じられる度に各光ディスクの空き容量が調べられ録画予約の登録を行うときは、ロータリートレイに載置されている光ディスクの指定と録画モードの指定とは行われない。録画予約による番組の録画を開始する時点で空き容量を参照して最初の光ディスクに対して録画対象の番組の録画が行われ、ディスク残量が予め定めたディスク残量以下になって、コマーシャルが検出されると、最初の光ディスクに対する録画を停止させた後、ロータリートレイを回転させ、番組を引き続き録画させる光ディスクが交換される。【選択図】図４
2007323689.tif 000002
【特許請求の範囲】
【請求項１】
複数の光ディスクを載置できるロータリートレイを有し、このロータリートレイを回転させて記録／再生位置に設定された光ディスクに対して情報の記録／再生を行うディスクチェンジャー式の光ディスク装置において、
前記ロータリートレイが閉じられる度に、前記ロータリートレイを回転させて各光ディスクを記録／再生位置に順次設定して、各光ディスクから読み出したディスク管理情報により、各光ディスクの空き容量を取得してメモリに格納する空き容量格納手段と、
録画モードの初期設定として初期設定画面で指定されたデフォルト録画モードに設定するデフォルト録画モード設定手段と、
録画予約されて録画開始時刻になったときに、前記メモリに格納された空き容量を参照して空き容量のある光ディスクのうちで録画対象の番組の録画時間に一番近い記録可能時間の空き容量を持つ光ディスクを最初の光ディスクとし、この最初の光ディスクに対して録画対象の番組の録画を開始させる録画開始手段と、
前記録画が開始され録画中に、前記最初の光ディスクの空き容量から録画により使用した容量を差し引いて前記最初の光ディスクのディスク残量を算出していく残量算出手段と、
前記算出されたディスク残量に基づく残時間が初期設定のディスク交換の残時間になったか否かを判定するディスク交換残時間判定手段と、
前記算出されたディスク残量に基づく残時間が初期設定のディスク交換の残時間になったと判定されたときに、録画対象の番組が所定時間内にコマーシャルになったか否かを判定するコマーシャル判定手段と、
前記録画対象の番組が所定時間内にコマーシャルになったと判定されたときに、前記最初の光ディスクに対する録画を停止させる第１の録画停止手段と、
前記最初の光ディスクに対する録画が停止された後、前記ロータリートレイを回転させ、前記番組を引き続き録画させる光ディスクを交換する第１のディスク交換手段と、
前記交換された光ディスクに対して録画を再開させる第１の録画再開手段と、
前記録画対象の番組が所定時間内にコマーシャルになったと判定されなかったときに、録画モードを途中で低下させる設定が有るか無いかを判定する録画モード低下設定有無判定手段と、
前記録画モードを途中で低下させる設定が有ると判定されたときに、現在の録画モードよりも録画モードを低下させる録画モード低下手段と、
前記録画モードを途中で低下させる設定が有ると判定され録画モードを低下させた後、あるいは前記録画モードを途中で低下させる設定が無いと判定され後、前記録画対象がコマーシャルになったことが前記コマーシャル判定手段により判定されたとき、当該光ディスクに対する録画を停止させる第２の録画停止手段と、
当該光ディスクに対する録画が停止された後、前記ロータリートレイを回転させ、前記番組を引き続き録画させる光ディスクを交換する第２のディスク交換手段と、
前記交換された光ディスクに対して録画を再開させる第２の録画再開手段と、
前記録画予約の録画終了時刻になったときに、録画を停止させる停止制御手段と、を有するシステムコントローラを備えたことを特徴とするディスクチェンジャー式の光ディスク装置。
【請求項２】
複数の光ディスクを載置できるロータリートレイを有し、このロータリートレイを回転させて記録／再生位置に設定された光ディスクに対して情報の記録／再生を行うディスクチェンジャー式の光ディスク装置において、
前記ロータリートレイが閉じられる度に、各光ディスクの空き容量を調べ、録画予約の登録を行うとき、前記ロータリートレイに載置されている光ディスクの指定と、録画モードの指定とを行わず、録画予約による番組の録画を開始する時点で、前記空き容量を参照して空き容量のある光ディスクのうちで録画対象の番組の録画時間に一番近い記録可能時間の空き容量を持つ光ディスクを最初の光ディスクとし、この最初の光ディスクに対して録画対象の番組の録画を行わせ、ディスク残量が予め定めたディスク残量以下になって、放送信号からコマーシャルを検出すると、前記最初の光ディスクに対する録画を停止させた後、前記ロータリートレイを回転させ、前記番組を引き続き録画させる光ディスクを交換する制御を行うシステムコントローラを備えたことを特徴とするディスクチェンジャー式の光ディスク装置。
【請求項３】
前記システムコントローラは、ロータリートレイが閉じられる度に前記ロータリートレイを回転させて各光ディスクを記録／再生位置に順次設定して各光ディスクから読み出したディスク管理情報により各光ディスクの空き容量を取得してメモリに格納する空き容量格納手段と、録画モードの初期設定として初期設定画面で指定されたデフォルト録画モードに設定するデフォルト録画モード設定手段と、録画予約されて録画開始時刻になったときに前記メモリに格納された空き容量を参照して空き容量のある光ディスクのうちで録画対象の番組の録画時間に一番近い記録可能時間の空き容量を持つ光ディスクを最初の光ディスクとし最初の光ディスクに対して録画対象の番組の録画を開始させる録画開始手段と、前記録画が開始され録画中に前記最初の光ディスクの空き容量から録画により使用した容量を差し引いて前記最初の光ディスクのディスク残量を算出していく残量算出手段と、前記算出されたディスク残量に基づく残時間が初期設定のディスク交換の残時間になったか否かを判定するディスク交換残時間判定手段と、前記算出されたディスク残量に基づく残時間が初期設定のディスク交換の残時間になったと判定されたときに録画対象の番組が所定時間内にコマーシャルになったか否かを判定するコマーシャル判定手段と、前記録画対象の番組が所定時間内にコマーシャルになったと判定されたときに前記最初の光ディスクに対する録画を停止させる録画停止手段と、前記最初の光ディスクに対する録画が停止された後に前記ロータリートレイを回転させ前記番組を引き続き録画させる光ディスクを交換するディスク交換手段と、前記交換された光ディスクに対して録画を再開させる録画再開手段とを有し、前記交換された光ディスクに対しても前記最初の光ディスクと同様な制御を行うことを特徴とする請求項２に記載のディスクチェンジャー式の光ディスク装置。
【請求項４】
前記システムコントローラは、ロータリートレイが閉じられる度に前記ロータリートレイを回転させて各光ディスクを記録／再生位置に順次設定して各光ディスクから読み出したディスク管理情報により各光ディスクの空き容量を取得してメモリに格納する空き容量格納手段と、録画モードの初期設定として初期設定画面で指定されたデフォルト録画モードに設定するデフォルト録画モード設定手段と、録画予約されて録画開始時刻になったときに前記メモリに格納された空き容量を参照して空き容量のある光ディスクのうちで録画対象の番組の録画時間に一番近い記録可能時間の空き容量を持つ光ディスクを最初の光ディスクとし最初の光ディスクに対して録画対象の番組の録画を開始させる録画開始手段と、前記録画が開始され録画中に、前記最初の光ディスクの空き容量から録画により使用した容量を差し引いて前記最初の光ディスクのディスク残量を算出していく残量算出手段と、前記算出されたディスク残量に基づく残時間が初期設定のディスク交換の残時間になったか否かを判定するディスク交換残時間判定手段と、前記算出されたディスク残量に基づく残時間が初期設定のディスク交換の残時間になったと判定されたときに録画対象の番組が所定時間内にコマーシャルになったか否かを判定するコマーシャル判定手段と、前記録画対象の番組が所定時間内にコマーシャルになったと判定されたときに前記最初の光ディスクに対する録画を停止させる第１の録画停止手段と、前記最初の光ディスクに対する録画が停止された後、前記ロータリートレイを回転させ前記番組を引き続き録画させる光ディスクを交換する第１のディスク交換手段と、前記交換された光ディスクに対して録画を再開させる第１の録画再開手段と、前記録画対象の番組が所定時間内にコマーシャルになったと判定されなかったときに録画モードを途中で低下させる設定が有るか無いかを判定する録画モード低下設定有無判定手段と、前記録画モードを途中で低下させる設定が有ると判定されたときに現在の録画モードよりも録画モードを低下させる録画モード低下手段と、前記録画モードを途中で低下させる設定が有ると判定され録画モードを低下させた後あるいは前記録画モードを途中で低下させる設定が無いと判定され後に前記録画対象がコマーシャルになったことが前記コマーシャル判定手段により判定されたときに当該光ディスクに対する録画を停止させる第２の録画停止手段と、当該光ディスクに対する録画が停止された後に前記ロータリートレイを回転させ前記番組を引き続き録画させる光ディスクを交換する第２のディスク交換手段と、前記交換された光ディスクに対して録画を再開させる第２の録画再開手段と、前記録画予約の録画終了時刻になったときに録画を停止させる停止制御手段とを有することを特徴とする請求項２に記載のディスクチェンジャー式の光ディスク装置。
【発明の詳細な説明】
【技術分野】
【０００１】
本発明は、複数の光ディスクを載置できるロータリートレイを有し、このロータリートレイを回転させて記録／再生位置に設定された光ディスクに対して情報の記録／再生を行うディスクチェンジャ−式の光ディスク装置に関する。
【背景技術】
【０００２】
近年、ＤＶＤ（デジタル・バーサタイル・ディスク）などの光ディスクに対してテレビ番組などの情報を記録したり、光ディスクに記録された情報を再生したりする光ディスク装置が普及している。また、光ディスク装置として、複数の光ディスクを載置でき、記録／再生の対象の光ディスクを交換することが可能なチェンジャー部を有し、このチェンジャー部に載置され、指定された光ディスクに対して情報の記録／再生を行う、所謂ディスクチェンジャー式の光ディスク装置も知られている。
【０００３】
ところで、このようなディスクチェンジャー式の光ディスク装置では、例えば、テレビ番組を録画する場合、先ず、最初に指定された光ディスクに対して録画が行われ、このディスク容量がフルになったとき、次に録画を引き継ぐ光ディスクにディスク交換しなければならないので、ロータリートレイを回転させて、次の光ディスクを記録／再生位置に設定し、次の光ディスクに対して録画を行うように構成されている。
【特許文献１】特開２００５−１４９５６０号公報
【特許文献２】特開２００４−１２７４７１号公報
【特許文献３】特開２００４−３３４９６７号公報
【発明の開示】
【発明が解決しようとする課題】
【０００４】
しかしながら、このような構成を有する従来のディスクチェンジャー式の光ディスク装置では、テレビ番組を録画予約する場合、ロータリートレイに載置されている記録可能な光ディスクを選択する操作、および録画モードの設定の操作を行い、録画中に当該光ディスクの記録可能な容量の残量が少なくなると、当該光ディスクに代わり、引き続き番組を録画させる光ディスクを選択してディスク交換を行わせる操作を行わなければならないので、ユーザにとっては操作の手間が煩わしいという課題があった。
【０００５】
ところで、特許文献１に記載の光ディスク装置では、録画開始後、コマーシャルの検知により書き込みを停止し、残り記録可能時間を算出し、残り記録可能時間が不足であれば、光ディスクを自動的に交換するようにしている。これにより、ディスク交換中のテレビ番組のコマーシャルは削除されるが、テレビ番組の本編は途切れることが無く録画される。しかし、録画しているテレビ番組においてコマーシャルが入る時間が放送開始からずっと後の方になって遅くなった時、この時点で当該光ディスクの残り記録可能時間を算出して、残り記録可能時間が不足であれば、ディスク交換を行うが、交換した後の次の光ディスクに対しても同様に残り記録可能時間が不足して、ディスク交換を行って、所望のテレビ番組を録画していくが、複数の光ディスクを全部使用しても、残り記録可能時間が不足して所望のテレビ番組を全部録画できないと言うことが起きる場合がある。その原因は、所望のテレビ番組を録画する前に、各光ディスクの空き容量を調べてから録画するのではないので、そのような課題が生じる。
【０００６】
特許文献２に記載の記録装置及びその制御方法並びに再生装置では、連続録画中にディスク残容量が減少となれば、シーンチェンジの際にディスク交換を行うようにしている。前記シーンチェンジとしては、番組のシーンが変わった時のシーンチェンジや、本編番組からコマーシャルに変わった時のシーンチェンジがあるが、この従来技術も前記従来技術と同様、所望のテレビ番組を録画する前に、各光ディスクの空き容量を調べてから録画するのではないので、幾らディスク交換を行っても所望のテレビ番組を全部録画できない場合があると言う課題が生じる。
【０００７】
特許文献３に記載の記録再生装置および記録方法では、ＤＶＤに録画中にＤＶＤの残容量が少なくなったとき、ハードディスクへの待機録画を開始して、ＤＶＤの録画を停止し、このＤＶＤを取り出し、新しいＤＶＤに交換し、この新しいＤＶＤへの録画を自動的に行うようにしたものであり、複数の光ディスクを載置でき、複数の光ディスクに対して情報の記録／再生を行うことができるディスクチェンジャー式の光ディスク装置に関するものではない。
【０００８】
本発明は、上記のような課題を解決するためになされたもので、録画予約する場合、録画可能な光ディスクを選択するための操作の手間、および録画モードを設定するための操作の手間を省いて録画予約を行えるようにし、また、当該光ディスクの録画残量が少なくなるとディスク交換を自動的に行って、所望のテレビ番組を全部録画可能になるようにすることもできるディスクチェンジャー式の光ディスク装置を提供することを目的とする。
【課題を解決するための手段】
【０００９】
上記目的を達成するために、請求項１の発明は、複数の光ディスクを載置できるロータリートレイを有し、このロータリートレイを回転させて記録／再生位置に設定された光ディスクに対して情報の記録／再生を行うディスクチェンジャー式の光ディスク装置において、前記ロータリートレイが閉じられる度に、前記ロータリートレイを回転させて各光ディスクを記録／再生位置に順次設定して、各光ディスクから読み出したディスク管理情報により、各光ディスクの空き容量を取得してメモリに格納する空き容量格納手段と、録画モードの初期設定として初期設定画面で指定されたデフォルト録画モードに設定するデフォルト録画モード設定手段と、録画予約されて録画開始時刻になったときに、前記メモリに格納された空き容量を参照して空き容量のある光ディスクのうちで録画対象の番組の録画時間に一番近い記録可能時間の空き容量を持つ光ディスクを最初の光ディスクとし、この最初の光ディスクに対して録画対象の番組の録画を開始させる録画開始手段と、前記録画が開始され録画中に、前記最初の光ディスクの空き容量から録画により使用した容量を差し引いて前記最初の光ディスクのディスク残量を算出していく残量算出手段と、前記算出されたディスク残量に基づく残時間が初期設定のディスク交換の残時間になったか否かを判定するディスク交換残時間判定手段と、前記算出されたディスク残量に基づく残時間が初期設定のディスク交換の残時間になったと判定されたときに、録画対象の番組が所定時間内にコマーシャルになったか否かを判定するコマーシャル判定手段と、前記録画対象の番組が所定時間内にコマーシャルになったと判定されたときに、前記最初の光ディスクに対する録画を停止させる第１の録画停止手段と、前記最初の光ディスクに対する録画が停止された後、前記ロータリートレイを回転させ、前記番組を引き続き録画させる光ディスクを交換する第１のディスク交換手段と、前記交換された光ディスクに対して録画を再開させる第１の録画再開手段と、前記録画対象の番組が所定時間内にコマーシャルになったと判定されなかったときに、録画モードを途中で低下させる設定が有るか無いかを判定する録画モード低下設定有無判定手段と、前記録画モードを途中で低下させる設定が有ると判定されたときに、現在の録画モードよりも録画モードを低下させる録画モード低下手段と、前記録画モードを途中で低下させる設定が有ると判定され録画モードを低下させた後、あるいは前記録画モードを途中で低下させる設定が無いと判定され後、前記録画対象がコマーシャルになったことが前記コマーシャル判定手段により判定されたとき、当該光ディスクに対する録画を停止させる第２の録画停止手段と、当該光ディスクに対する録画が停止された後、前記ロータリートレイを回転させ、前記番組を引き続き録画させる光ディスクを交換する第２のディスク交換手段と、前記交換された光ディスクに対して録画を再開させる第２の録画再開手段と、前記録画予約の録画終了時刻になったときに、録画を停止させる停止制御手段と、を有するシステムコントローラを備えたことを特徴とするディスクチェンジャー式の光ディスク装置を提供する。
【００１０】
この構成において、空き容量格納手段は、ロータリートレイが閉じられたときに、ロータリートレイを回転させて各光ディスクを記録／再生位置に順次設定して、各光ディスクから順次にディスク管理情報を読み出し、各光ディスクの空き容量を取得してメモリに格納する。録画開始手段は、録画予約されて録画開始時刻になったときに、メモリに格納された空き容量を参照して空き容量のある光ディスクのうちで録画対象の番組の録画時間に一番近い記録可能時間の空き容量を持つ光ディスクを最初の光ディスクとし、この最初の光ディスクに対して録画対象の番組の録画を開始させる。デフォルト録画モード設定手段は、初期設定画面で指定された録画モードの初期設定としてデフォルト録画モードに設定する。ここで、或るテレビ番組が録画予約されると、録画開始手段は、録画開始時刻になったときに最初の光ディスクに対して番組の録画を開始させる。
【００１１】
録画が開始され、録画中に、残量算出手段は、前記最初の光ディスクの空き容量から録画で使用した容量を差し引いて、前記最初の光ディスクのディスク残量を算出する。そして、ディスク交換残時間判定手段は、前記算出されたディスク残量に基づく残時間が初期設定のディスク交換の残時間になったか否かを判定する。前記算出されたディスク残量に基づく残時間が初期設定のディスク交換の残時間になったと判定されたときに、更に、コマーシャル判定手段は、録画対象の番組が所定時間内にコマーシャルになったか否かを判定する。
【００１２】
録画対象の番組が所定時間内にコマーシャルになったと判定されたときに、第１の録画停止手段は、前記最初の光ディスクに対する録画を停止させ、更に、第１のディスク交換手段は、ロータリートレイを回転させ、番組を引き続き録画させる光ディスクを交換する。このディスク交換により、次の光ディスクが、ロータリートレイの記録／再生位置に設定されることになる。そして、第１の録画再開手段は、前記交換された光ディスクに対して録画を再開させる。
【００１３】
この後、録画が終了するまで、同様な処理を繰り返すが、所定時間内にコマーシャルになったと判定されなかったときに、録画モード低下設定有無判定手段は、初期設定において録画モードを途中で低下させる設定が有るか否かを判定する。前記録画モードを途中で低下させる設定が有ると判定されたとき、録画モード低下手段は、現在の画質よりも画質が劣る録画モードに変更するため現在の録画モードよりも録画モードを低下させる。このように録画モードを低下させることにより、録画可能な残り時間が、例えば５分であったものが、３０分に延ばすことができる。そして、コマーシャル判定手段は、コマーシャルになったと判定すると、第２の録画停止手段による録画停止処理、第２のディスク交換手段によるディスク交換処理、第２の録画再開手段による録画再開処理を行う。
録画予約による録画終了時刻になって録画が終了したときは、停止制御手段は録画を停止させる。
【００１４】
この構成によれば、録画予約する場合、前記の各手段により、録画可能な光ディスクを選択するための操作の手間、および録画モードを設定するための操作の手間を省いて録画予約を行うことができる。また、録画モードはデフォルト録画モードで設定されるので、ディスク残量によって録画モードを考慮する必要が無くなる。また、当該光ディスクの録画残量が少なくなるとディスク交換を自動的に行って、所望のテレビ番組を全部録画可能にすることもできる。また、録画モードを録画途中で低下させることにより、録画可能な残り時間を延ばすことができ、所望のテレビ番組を全部録画可能にすることができる。
【００１５】
請求項２の発明は、複数の光ディスクを載置できるロータリートレイを有し、このロータリートレイを回転させて記録／再生位置に設定された光ディスクに対して情報の記録／再生を行うディスクチェンジャー式の光ディスク装置において、前記ロータリートレイが閉じられる度に、各光ディスクの空き容量を調べ、録画予約の登録を行うとき、前記ロータリートレイに載置されている光ディスクの指定と、録画モードの指定とを行わず、録画予約による番組の録画を開始する時点で、前記空き容量を参照して空き容量のある光ディスクのうちで録画対象の番組の録画時間に一番近い記録可能時間の空き容量を持つ光ディスクを最初の光ディスクとし、この最初の光ディスクに対して録画対象の番組の録画を行わせ、ディスク残量が予め定めたディスク残量以下になって、放送信号からコマーシャルを検出すると、前記最初の光ディスクに対する録画を停止させた後、前記ロータリートレイを回転させ、前記番組を引き続き録画させる光ディスクを交換する制御を行うシステムコントローラを備えたことを特徴とするディスクチェンジャー式の光ディスク装置を提供する。
【００１６】
この構成において、ロータリートレイが閉じられる度に、各光ディスクの空き容量が調べられ、録画予約の登録を行うときは、前記ロータリートレイに載置されている光ディスクの指定と、録画モードの指定とは行われない。録画予約による番組の録画を開始する時点で、前記空き容量を参照して空き容量のある光ディスクのうちで録画対象の番組の録画時間に一番近い記録可能時間の空き容量を持つ光ディスクが最初の光ディスクとされ、この最初の光ディスクに対して録画対象の番組の録画が行われ、ディスク残量が予め定めたディスク残量以下になって、放送信号からコマーシャルが検出されると、前記最初の光ディスクに対する録画を停止させた後、前記ロータリートレイを回転させ、前記番組を引き続き録画させる光ディスクが交換される。
【００１７】
この構成によれば、録画予約する場合、前記の処理により、録画可能な光ディスクを選択するための操作の手間、および録画モードを設定するための操作の手間を省いて録画予約を行うことができる。また、録画モードはデフォルト録画モードで設定されるので、ディスク残量によって録画モードを考慮する必要が無くなる。また、当該光ディスクの録画残量が少なくなるとディスク交換を自動的に行って、所望のテレビ番組を全部録画可能にすることもできる。
【００１８】
請求項３の発明では、請求項２の発明において、前記システムコントローラは、ロータリートレイが閉じられる度に前記ロータリートレイを回転させて各光ディスクを記録／再生位置に順次設定して各光ディスクから読み出したディスク管理情報により各光ディスクの空き容量を取得してメモリに格納する空き容量格納手段と、録画モードの初期設定として初期設定画面で指定されたデフォルト録画モードに設定するデフォルト録画モード設定手段と、録画予約されて録画開始時刻になったときに前記メモリに格納された空き容量を参照して空き容量のある光ディスクのうちで録画対象の番組の録画時間に一番近い記録可能時間の空き容量を持つ光ディスクを最初の光ディスクとし最初の光ディスクに対して録画対象の番組の録画を開始させる録画開始手段と、前記録画が開始され録画中に前記最初の光ディスクの空き容量から録画により使用した容量を差し引いて前記最初の光ディスクのディスク残量を算出していく残量算出手段と、前記算出されたディスク残量に基づく残時間が初期設定のディスク交換の残時間になったか否かを判定するディスク交換残時間判定手段と、前記算出されたディスク残量に基づく残時間が初期設定のディスク交換の残時間になったと判定されたときに録画対象の番組が所定時間内にコマーシャルになったか否かを判定するコマーシャル判定手段と、前記録画対象の番組が所定時間内にコマーシャルになったと判定されたときに前記最初の光ディスクに対する録画を停止させる録画停止手段と、前記最初の光ディスクに対する録画が停止された後に前記ロータリートレイを回転させ前記番組を引き続き録画させる光ディスクを交換するディスク交換手段と、前記交換された光ディスクに対して録画を再開させる録画再開手段とを有し、前記交換された光ディスクに対しても前記最初の光ディスクと同様な制御を行う。
【００１９】
したがって、前記システムコントローラは、空き容量格納処理、デフォルト録画モード設定処理、録画開始処理、残量算出処理、ディスク交換残時間判定処理、コマーシャル判定処理、録画停止処理、ディスク交換処理、および録画再開処理を実現でき、これにより、録画予約する場合、前記の各処理により、録画可能な光ディスクを選択するための操作の手間、および録画モードを設定するための操作の手間を省いて録画予約を行うことができる。また、録画モードはデフォルト録画モードで設定されるので、ディスク残量によって録画モードを考慮する必要が無くなる。また、当該光ディスクの録画残量が少なくなるとディスク交換を自動的に行って、所望のテレビ番組を全部録画可能にすることもできる。
【００２０】
請求項４の発明では、請求項２の発明において、前記システムコントローラは、ロータリートレイが閉じられる度に前記ロータリートレイを回転させて各光ディスクを記録／再生位置に順次設定して各光ディスクから読み出したディスク管理情報により各光ディスクの空き容量を取得してメモリに格納する空き容量格納手段と、録画モードの初期設定として初期設定画面で指定されたデフォルト録画モードに設定するデフォルト録画モード設定手段と、録画予約されて録画開始時刻になったときに前記メモリに格納された空き容量を参照して空き容量のある光ディスクのうちで録画対象の番組の録画時間に一番近い記録可能時間の空き容量を持つ光ディスクを最初の光ディスクとし最初の光ディスクに対して録画対象の番組の録画を開始させる録画開始手段と、前記録画が開始され録画中に、前記最初の光ディスクの空き容量から録画により使用した容量を差し引いて前記最初の光ディスクのディスク残量を算出していく残量算出手段と、前記算出されたディスク残量に基づく残時間が初期設定のディスク交換の残時間になったか否かを判定するディスク交換残時間判定手段と、前記算出されたディスク残量に基づく残時間が初期設定のディスク交換の残時間になったと判定されたときに録画対象の番組が所定時間内にコマーシャルになったか否かを判定するコマーシャル判定手段と、前記録画対象の番組が所定時間内にコマーシャルになったと判定されたときに前記最初の光ディスクに対する録画を停止させる第１の録画停止手段と、前記最初の光ディスクに対する録画が停止された後、前記ロータリートレイを回転させ前記番組を引き続き録画させる光ディスクを交換する第１のディスク交換手段と、前記交換された光ディスクに対して録画を再開させる第１の録画再開手段と、前記録画対象の番組が所定時間内にコマーシャルになったと判定されなかったときに録画モードを途中で低下させる設定が有るか無いかを判定する録画モード低下設定有無判定手段と、前記録画モードを途中で低下させる設定が有ると判定されたときに現在の録画モードよりも録画モードを低下させる録画モード低下手段と、前記録画モードを途中で低下させる設定が有ると判定され録画モードを低下させた後あるいは前記録画モードを途中で低下させる設定が無いと判定され後に前記録画対象がコマーシャルになったことが前記コマーシャル判定手段により判定されたときに当該光ディスクに対する録画を停止させる第２の録画停止手段と、当該光ディスクに対する録画が停止された後に前記ロータリートレイを回転させ前記番組を引き続き録画させる光ディスクを交換する第２のディスク交換手段と、前記交換された光ディスクに対して録画を再開させる第２の録画再開手段と、前記録画予約の録画終了時刻になったときに録画を停止させる停止制御手段とを有する。
【００２１】
したがって、前記システムコントローラは、空き容量格納処理、デフォルト録画モード設定処理、録画開始処理、残量算出処理、ディスク交換残時間判定処理、コマーシャル判定処理、第１の録画停止処理、第１のディスク交換処理、第１の録画再開処理、録画モード低下設定有無判定処理、録画モード低下処理、第２の録画停止処理、第２のディスク交換処理、第２の録画再開処理、および停止制御処理を実現でき、これにより、録画予約する場合、前記の各処理により、録画可能な光ディスクを選択するための操作の手間、および録画モードを設定するための操作の手間を省いて録画予約を行うことができる。また、録画モードはデフォルト録画モードで設定されるので、ディスク残量によって録画モードを考慮する必要が無くなる。また、当該光ディスクの録画残量が少なくなるとディスク交換を自動的に行って、所望のテレビ番組を全部録画可能にすることもできる。また、録画モードを録画途中で低下させることにより、録画可能な残り時間を延ばすことができ、所望のテレビ番組を全部録画可能にすることができる。
【発明の効果】
【００２２】
以上のように本発明によれば、ロータリートレイが閉じられる度に、前記ロータリートレイを回転させて各光ディスクを記録／再生位置に順次設定して、各光ディスクから読み出したディスク管理情報により、各光ディスクの空き容量を取得してメモリに格納する空き容量格納手段と、録画モードの初期設定として初期設定画面で指定されたデフォルト録画モードに設定するデフォルト録画モード設定手段と、録画予約されて録画開始時刻になったときに、前記メモリに格納された空き容量を参照して空き容量のある光ディスクのうちで録画対象の番組の録画時間に一番近い記録可能時間の空き容量を持つ光ディスクを最初の光ディスクとし、この最初の光ディスクに対して録画対象の番組の録画を開始させる録画開始手段と、前記録画が開始され録画中に、前記最初の光ディスクの空き容量から録画により使用した容量を差し引いて前記最初の光ディスクのディスク残量を算出していく残量算出手段と、前記算出されたディスク残量に基づく残時間が初期設定のディスク交換の残時間になったか否かを判定するディスク交換残時間判定手段と、前記算出されたディスク残量に基づく残時間が初期設定のディスク交換の残時間になったと判定されたときに、録画対象の番組が所定時間内にコマーシャルになったか否かを判定するコマーシャル判定手段と、前記録画対象の番組が所定時間内にコマーシャルになったと判定されたときに、前記最初の光ディスクに対する録画を停止させる第１の録画停止手段と、前記最初の光ディスクに対する録画が停止された後、前記ロータリートレイを回転させ、前記番組を引き続き録画させる光ディスクを交換する第１のディスク交換手段と、前記交換された光ディスクに対して録画を再開させる第１の録画再開手段と、前記録画対象の番組が所定時間内にコマーシャルになったと判定されなかったときに、録画モードを途中で低下させる設定が有るか無いかを判定する録画モード低下設定有無判定手段と、前記録画モードを途中で低下させる設定が有ると判定されたときに、現在の録画モードよりも録画モードを低下させる録画モード低下手段と、前記録画モードを途中で低下させる設定が有ると判定され録画モードを低下させた後、あるいは前記録画モードを途中で低下させる設定が無いと判定され後、前記録画対象がコマーシャルになったことが前記コマーシャル判定手段により判定されたとき、当該光ディスクに対する録画を停止させる第２の録画停止手段と、当該光ディスクに対する録画が停止された後、前記ロータリートレイを回転させ、前記番組を引き続き録画させる光ディスクを交換する第２のディスク交換手段と、前記交換された光ディスクに対して録画を再開させる第２の録画再開手段と、前記録画予約の録画終了時刻になったときに、録画を停止させる停止制御手段と、を有するシステムコントローラを備えたので、録画予約する場合、前記の各手段により、録画可能な光ディスクを選択するための操作の手間、および録画モードを設定するための操作の手間を省いて録画予約を行うことができる。また、録画モードはデフォルト録画モードで設定されるので、ディスク残量によって録画モードを考慮する必要が無くなる。また、当該光ディスクの録画残量が少なくなるとディスク交換を自動的に行って、所望のテレビ番組を全部録画可能にすることもできる。また、録画モードを録画途中で低下させることにより、録画可能な残り時間を延ばすことができ、所望のテレビ番組を全部録画可能にすることができる。
【００２３】
また、本発明によれば、ロータリートレイが閉じられる度に、各光ディスクの空き容量を調べ、録画予約の登録を行うとき、前記ロータリートレイに載置されている光ディスクの指定と、録画モードの指定とを行わず、録画予約による番組の録画を開始する時点で、前記空き容量を参照して空き容量のある光ディスクのうちで録画対象の番組の録画時間に一番近い記録可能時間の空き容量を持つ光ディスクを最初の光ディスクとし、この最初の光ディスクに対して録画対象の番組の録画を行わせ、ディスク残量が予め定めたディスク残量以下になって、放送信号からコマーシャルを検出すると、前記最初の光ディスクに対する録画を停止させた後、前記ロータリートレイを回転させ、前記番組を引き続き録画させる光ディスクを交換する制御を行うシステムコントローラを備えたので、録画予約する場合、前記の処理により、録画可能な光ディスクを選択するための操作の手間、および録画モードを設定するための操作の手間を省いて録画予約を行うことができる。また、録画モードはデフォルト録画モードで設定されるので、ディスク残量によって録画モードを考慮する必要が無くなる。また、当該光ディスクの録画残量が少なくなるとディスク交換を自動的に行って、所望のテレビ番組を全部録画可能にすることもできる。
【発明を実施するための最良の形態】
【００２４】
以下、添付図面を参照しつつ、本発明の実施の形態について説明する。図１は本発明の一実施形態に係るディスクチェンジャー式の光ディスク装置の構成を示すブロック図である。
【００２５】
このディスクチェンジャー式の光ディスク装置１は、ＤＶＤなどの光ディスク３に対して情報の記録／再生を行う光ディスク記録再生部２と、図示しないアンテナからのテレビ放送信号を受信し、所望のチャンネルのテレビ放送信号を選択して映像音声信号として出力するチューナ４と、光ディスク記録再生部２またはチューナ４から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をモニタ装置（テレビ受信機など）１２で表示可能な映像信号に変換する映像出力部７と、デコーダ５で復号された音声信号をモニタ装置１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２６】
このディスクチェンジャー式の光ディスク装置１は、複数の光ディスクを載置できるロータリートレイを有し、このロータリートレイを回転させて記録／再生位置に設定された各光ディスクに対して情報の記録／再生を行うディスクチェンジャー付きのＤＶＤレコーダである。
【００２７】
システムコントローラ１０は、本実施形態の特徴として、ロータリートレイが閉じられる度に、前記ロータリートレイを回転させて各光ディスクを記録／再生位置に順次設定して、各光ディスクから読み出したディスク管理情報により、各光ディスクの空き容量を取得してフラッシュＲＯＭ６に格納する空き容量格納手段と、録画モードの初期設定として初期設定画面で指定されたデフォルト録画モードに設定するデフォルト録画モード設定手段と、録画予約されて録画開始時刻になったときに、フラッシュＲＯＭ６に格納された空き容量を参照して空き容量のある光ディスクのうちで録画対象の番組の録画時間に一番近い記録可能時間の空き容量を持つ光ディスクを最初の光ディスクとし、この最初の光ディスクに対して録画対象の番組の録画を開始させる録画開始手段と、前記録画が開始され録画中に、前記最初の光ディスクの空き容量から録画により使用した容量を差し引いて前記最初の光ディスクのディスク残量を算出していく残量算出手段と、前記算出されたディスク残量に基づく残時間が初期設定のディスク交換の残時間になったか否かを判定するディスク交換残時間判定手段と、前記算出されたディスク残量に基づく残時間が初期設定のディスク交換の残時間になったと判定されたときに、録画対象の番組が所定時間内にコマーシャルになったか否かを判定するコマーシャル判定手段と、前記録画対象の番組が所定時間内にコマーシャルになったと判定されたときに、前記最初の光ディスクに対する録画を停止させる第１の録画停止手段と、前記最初の光ディスクに対する録画が停止された後、前記ロータリートレイを回転させ、前記番組を引き続き録画させる光ディスクを交換する第１のディスク交換手段と、前記交換された光ディスクに対して録画を再開させる第１の録画再開手段と、前記録画対象の番組が所定時間内にコマーシャルになったと判定されなかったときに、録画モードを途中で低下させる設定が有るか無いかを判定する録画モード低下設定有無判定手段と、前記録画モードを途中で低下させる設定が有ると判定されたときに、現在の録画モードよりも録画モードを低下させる録画モード低下手段と、前記録画モードを途中で低下させる設定が有ると判定され録画モードを低下させた後、あるいは前記録画モードを途中で低下させる設定が無いと判定され後、前記録画対象がコマーシャルになったことが前記コマーシャル判定手段により判定されたとき、当該光ディスクに対する録画を停止させる第２の録画停止手段と、当該光ディスクに対する録画が停止された後、前記ロータリートレイを回転させ、前記番組を引き続き録画させる光ディスクを交換する第２のディスク交換手段と、前記交換された光ディスクに対して録画を再開させる第２の録画再開手段と、前記録画予約の録画終了時刻になったときに、録画を停止させる停止制御手段とを有する。
【００２８】
図２は本実施形態のディスクチェンジャー式の光ディスク装置における光ディスク記録再生部に備えられるディスクドライブ部の構成を示すブロック図である。このディスクドライブ部は、円周方向に例えば５個の光ディスクを載置できるディスク載置部を有するロータリートレイ３０と、このロータリートレイ３０のディスク載置部に載置された光ディスクが記録／再生位置にある光ディスク３を、モータ軸２９を介して回転させるスピンドルモータ２８と、光ディスク３の記録面に対してレーザ光を光学レンズ２５ａを介して照射すると共に、光ディスク３の記録面からの反射光を光学レンズ２５ａを介して受光することにより、光ディスク３への情報の書き込み／読み出しを光学的に行う光ピックアップ２５と、この光ピックアップ２５が固定され光ピックアップ２５を光ディスク３の半径方向に移動させるためのスレッド２６と、このスレッド２６を駆動させるためのステッピングモータ２７とを備えている。
【００２９】
また、このディスクドライブ部は、記録再生アンプ２０、光ディスク信号処理回路２１、ＡＴＡＰＩ処理回路２２、光ピックアップ制御回路２３、およびマイコン２４を備えている。これらの構成要素の詳細については、次の動作説明で述べる。特に、光ディスク信号処理回路２１は、ロータリートレイ３０のディスク載置部に載置され設定された光ディスクに対して信号処理を行うことができる機能も有している。
【００３０】
先ず、サーボ制御について説明する。光ディスク３はスピンドルモータ２８によって回転制御される一方、ステッピングモータ２７の制御により、スレッド２６が移動し、これに伴って光ピックアップ２５が移動することで、光ディスク３上の書き込み位置もしくは読み出し位置がほぼ決定される。更に、光ピックアップ２５内部の制御機能により細やかな位置制御が行われる。記録時および再生時には、光ディスク３からの反射光が、光学レンズ２５ａを通じて入射され、光ピックアップ２５で読み取られて電気信号に変換され、この電気信号は、記録再生アンプ２０で増幅された後、光ピップアップ制御回路２３に入力され、この光ピックアップ制御回路２３からの制御信号に従ってステッピングモータ２７に対してフィードバック制御をかけるようになっている。
【００３１】
次に、記録／再生時の動作について説明する。記録時は、チューナ４（図１参照）からの映像音声信号が図示しない信号処理回路で所定処理されて入出力端子１９に入力された記録情報（ＭＰＥＧストリーム）は、ＡＴＡＰＩ処理回路２２で処理された後、光ディスク信号処理回路２１で記録信号に変換される。そして、その記録信号は、記録再生アンプ２０を介して光ピックアップ２５に入力され、これにより、レーザ光が光学レンズ２５ａを通じて光ディスク３の記録面に照射され、光ディスク３に記録情報が記録される。
【００３２】
再生時は、光ディスク３からの反射光が、光学レンズ２５ａで受光した光ピックアップ２５で読み取られて電気信号に変換された後、その電気信号は記録再生アンプ２０で増幅される。そして、増幅された電気信号は、光ディスク信号処理回路２１でＭＰＥＧストリームに戻され、このＭＰＥＧストリームは、ＡＴＡＰＩ処理回路２２を介して入出力端子１９から出力されてデコーダ５に供給される。マイコン２４は、ＡＴＡＰＩ処理回路２２、光ディスク信号処理回路２１、および光ピックアップ制御回路２３を制御する。
【００３３】
図３は本実施形態においてディスクチェンジャートレイの簡略化した平面図である。図３において、トレイ３１の上側には、光ディスクが載置されて設定される５個のディスク載置部３０１〜３０５が円周方向に一定間隔を置いて配置されたカルーセル型のロータリートレイ３０が配設されている。トレイ３１は、装置本体の前面に対して前後方向に移動し、それに伴って、ロータリートレイ３０も前後方向に移動する。ロータリートレイ３０の下側には、光ピックアップ２５が図示しないチャッキング機構によって上下移動可能に配設されている。
【００３４】
図４は本実施形態において複数の光ディスクへの録画処理を説明するためのフローチャートである。このフローチャートおよび図１〜図３を参照して複数の光ディスクへの録画処理について説明する。
【００３５】
先ず、ディスクチェンジャートレイであるロータリートレイ３０においてディスク載置部３０１〜３０５に５枚の記録可能な光ディスク（ＤＶＤ）が載置できるように、ユーザがリモコン１１のトレイ開閉キーを操作して、ロータリートレイ３０上のディスク載置部３０１〜３０５のうち２つのディスク載置部が装置前面に出るようにトレイ３１を前面方向に移動させ、ロータリートレイ３０を少しずつ回転させて、ディスク載置部３０１〜３０５に５枚の光ディスクを載置する。そして、５枚の光ディスクのディスク載置部３０１〜３０５への載置が完了すると、再びリモコン１１のトレイ開閉キーを操作することにより、トレイ３１が装置内部に入ると、システムコントローラ１０は、ロータリートレイ３０が閉じられたことを検知する（ステップＳ１）。
【００３６】
そして、システムコントローラ１０の空き容量格納手段は、ロータリートレイ３０が閉じられたときに、ロータリートレイ３０を回転させて各光ディスクを記録／再生位置に順次設定して、各光ディスクから順次にディスク管理情報を読み出し、各光ディスクの空き容量を取得してフラッシュＲＯＭ６に格納する（ステップＳ２〜Ｓ５）。
【００３７】
即ち、システムコントローラ１０の空き容量格納手段は、光ディスク記録再生部２を制御して、図示しないトレイモータを駆動させることにより、ロータリートレイ３０を回転させて、先ずディスク載置部３０１，３０２，３０３，３０４，３０５にそれぞれ載置されている各光ディスクを記録／再生位置に順次設定して、各ディスク管理情報の読み出しを行う（ステップＳ２〜Ｓ３）。そして、全ディスク管理情報の読み出しが完了すると、空き容量格納手段は、各光ディスクの空き容量をディスク管理情報により取得し（ステップＳ４）、この取得した空き容量の値をフラッシュＲＯＭ６に格納する（ステップＳ５）。
【００３８】
この後、システムコントローラのデフォルト録画モード設定手段は、モニタ装置１２に表示された初期設定画面で指定された録画モードの初期設定としてデフォルト録画モードに設定する（ステップＳ６）。ここで、リモコン１１の操作により、或るテレビ番組が録画予約されると、システムコントローラ１０は、録画予約されたことを検知し（ステップＳ７）、録画開始手段は、図示しない時計手段で計時されている現在時刻が録画開始時刻になったときに（ステップＳ８）、光ディスク記録再生部２を制御して、例えばディスク載置部３０１に載置されている最初の光ディスクに対して録画対象の番組の録画を開始させる（ステップＳ９）。その最初の光ディスクとは、フラッシュＲＯＭ６に格納されている空き容量を参照して空き容量のある光ディスクのうちで録画対象の番組の録画時間に一番近い記録可能時間の空き容量を持つ光ディスクであり、この光ディスクを最初に録画を行う光ディスクとしている。当該光ディスクの位置の判別は、ロータリートレイ３０のディスク載置部３０１〜３０５の回転位置を検知する図示しない回転位置センサにより可能である。
【００３９】
録画が開始され、録画中に、システムコントローラ１０の残量算出手段は、前記最初の光ディスクの空き容量から録画で使用した容量を差し引いて、前記最初の光ディスクのディスク残量を算出する（ステップＳ１０）。そして、システムコントローラ１０のディスク交換残時間判定手段は、前記算出されたディスク残量に基づく残時間が初期設定のディスク交換の残時間になったか否かを判定する（ステップＳ１１）。前記初期設定では、ディスク交換の残時間が例えば５分に設定されると、当該光ディスクは、現録画モードのままで録画を続けると、５分で残容量が無くなって容量フルになるということを示すことになる。
【００４０】
前記算出されたディスク残量に基づく残時間が初期設定のディスク交換の残時間になったと判定されたときに、システムコントローラ１０のコマーシャル判定手段は、録画対象の番組が所定時間内にコマーシャル（ＣＭ）になったか否かを判定する（ステップＳ１２）。コマーシャルの検出方法は、放送信号に含まれる音声信号の種類（例えば、モノラル、ステレオ、バイリンガル）の急激な変化を検出することによる方法や、デジタル放送であれば、付帯情報からコマーシャルを検出することによる方法、あるいは本編の放送からコマーシャルに入った時に高くなる音声レベルの検出による方法などがある。
【００４１】
録画対象の番組が所定時間内にコマーシャル（ＣＭ）になったと判定されたときに、システムコントローラ１０の第１の録画停止手段は、光ディスク記録再生部２を制御して、前記最初の光ディスクに対する録画を停止させ（ステップＳ１３）、更に、システムコントローラ１０の第１のディスク交換手段は、図示しないトレイモータを回転させることにより、ロータリートレイ３０を回転させ、番組を引き続き録画させる光ディスクを交換する（ステップＳ１４）。このディスク交換は、フラッシュＲＯＭ６に格納されている各光ディスクの空き容量の値を参照して、当該番組の録画の残時間に近い記録可能時間の空き容量を持つ光ディスクが選択される。このディスク交換により、次の光ディスクが、ロータリートレイ３０上の記録／再生位置に設定されることになる。そして、システムコントローラ１０の第１の録画再開手段は、光ディスク記録再生部２を制御して、前記交換された光ディスクに対して録画を再開させる（ステップＳ１５）。
【００４２】
この後、同様に、録画が終了するまで（ステップＳ１６）、ステップＳ１０〜ステップＳ１５の処理を繰り返すが、ステップＳ１２において所定時間内にコマーシャル（ＣＭ）になったと判定されなかったときは、システムコントローラ１０の録画モード低下設定有無判定手段は、初期設定において録画モードを途中で低下させる設定が有るか否かを判定する（ステップＳ１７）。
【００４３】
前記録画モードを途中で低下させる設定が有ると判定されたとき、システムコントローラ１０の録画モード低下手段は、光ディスク記録再生部２における録画モードの設定において、現在の画質よりも画質が劣る録画モードに変更するため現在の録画モードよりも録画モードを低下させる（ステップＳ１８）。このように録画モードを低下させることにより、当該光ディスクの録画可能な残り時間が、例えば５分であったものが、３０分に延ばすことができる。そして、システムコントローラ１０のコマーシャル判定手段は、コマーシャル（ＣＭ）になったと判定すると（ステップＳ１９）、システムコントローラ１０の第２の録画停止手段によるステップＳ１３の録画停止処理、第２のディスク交換手段によるステップＳ１４のディスク交換処理、第２の録画再開手段によるステップＳ１５の録画再開処理を行う。
【００４４】
前記録画モードを途中で低下させる設定が有ると判定され（ステップＳ１７）、録画モードを低下させた（ステップＳ１８）後、当該番組が所定時間内にコマーシャル（ＣＭ）にならなかったと判定されたときは（ステップＳ１９）、当該光ディスクの容量がフルになれば（ステップＳ２０）、システムコントローラ１０の第２の録画停止手段によるステップＳ１３の録画停止処理、第２のディスク交換手段によるステップＳ１４のディスク交換処理、第２の録画再開手段によるステップＳ１５の録画再開処理を行う。そして、録画予約による録画終了時刻になって録画が終了したときは（ステップＳ１６）、システムコントローラ１０の停止制御手段は、光ディスク記録再生部２を停止動作させ、録画を終了させる。
【００４５】
なお、前記録画モードを途中で低下させる設定が無いと判定され（ステップＳ１７）、当該番組が所定時間内にコマーシャルにならなかったと判定されたときも（ステップＳ１９）、当該光ディスクの容量がフルになれば（ステップＳ２０）、同様にシステムコントローラ１０の第２の録画停止手段によるステップＳ１３の録画停止処理、第２のディスク交換手段によるステップＳ１４のディスク交換処理、第２の録画再開手段によるステップＳ１５の録画再開処理を行う。そして、録画が終了したときに（ステップＳ１６）、システムコントローラ１０の停止制御手段は、光ディスク記録再生部２を停止動作させ、録画を終了させる。
【００４６】
このように本実施形態では、録画対象の番組がコマーシャルになれば、このコマーシャルの時間を利用してディスク交換を行うので、番組の本編が途切れることなく録画することができる。最初の録画モードの設定は、デフォルト録画モードとしてユーザが自由に設定することもでき、最初は画質が良い録画モードで録画していて、５枚の光ディスクでは番組を全部録画するには足りなくなった場合は、自動的に画質の悪い録画モードに下げて番組を全部録画できるようにする可変録画モードにするか、または録画モードを下げずに画質の良い録画モードのまま録画をする固定録画モードにするかの設定を自由に行うことができる。また、５枚の光ディスクの空き容量を調べて、５枚の光ディスクのうち、空き容量の多い光ディスクから録画を行えば、ディスク交換の回数を少なくすることもできる。また、ディスク交換残時間になった後、コマーシャルになるまでの時間が遅くなれば、コマーシャルになるまでの間でディスク残量が無くなる可能性があるので、当該光ディスクの記録可能時間を増やすために録画モードを下げてコマーシャルが出てくるまで繋ぐことができれば、コマーシャルの間にディスク交換を行うことができる。なお、本実施形態では、５枚の光ディスクに対して記録／再生を行うことができる光ディスク装置について説明したが、５枚の光ディスクに限ることなく、複数枚の光ディスクに記録／再生を行うことができる光ディスク装置であっても良い。
【００４７】
以上説明したように本実施形態によれば、録画予約する場合、前記の各処理により、録画可能な光ディスクを選択するための操作の手間、および録画モードを設定するための操作の手間を省いて録画予約を行うことができる。また、録画モードはデフォルト録画モードで設定されるので、ディスク残量によって録画モードを考慮する必要が無くなる。また、当該光ディスクの録画残量が少なくなるとディスク交換を自動的に行って、所望のテレビ番組を全部録画可能にすることもできる。また、録画モードを録画途中で低下させることにより、録画可能な残り時間を延ばすことができ、所望のテレビ番組を全部録画可能にすることができる。
【産業上の利用可能性】
【００４８】
本発明は、複数の光ディスクを載置でき、複数の光ディスクに対して情報の記録／再生を行うことができるディスクチェンジャー式の光ディスク装置においてテレビ番組を録画する機能に付加することができる。
【図面の簡単な説明】
【００４９】
【図１】本発明の一実施形態に係るディスクチェンジャー式の光ディスク装置の構成を示すブロック図である。
【図２】前記実施形態のディスクチェンジャー式の光ディスク装置における光ディスク記録再生部に備えられるディスクドライブ部の構成を示すブロック図である。
【図３】前記実施形態においてディスクチェンジャートレイの簡略化した平面図である。
【図４】前記実施形態において複数の光ディスクへの録画処理を説明するためのフローチャートである。
【符号の説明】
【００５０】
１    ディスクチェンジャー式の光ディスク装置
３    光ディスク
６    フラッシュＲＯＭ（メモリ）
１０    システムコントローラ
３０    ロータリートレイ
【図１】
2007323689.tif 000003
【図２】
2007323689.tif 000004
【図３】
2007323689.tif 000005
【図４】
2007323689.tif 000006